(57)【要約】【課題】外側部材に対して内側部材を性能良く保持することにある。【解決手段】金属製で中空の外側部材２０と、外側部材２０の内部に保持されている内側部材３０とによって、外側部材２０に入力された荷重（Ｆ）を吸収可能な衝撃吸収部材１０において、内側部材３０は、木材３１と、ソリッドな樹脂又は金属製のブラケット３４とを一体化することで構成されており、外側部材２０に対してブラケット３４を位置決めして保持している保持構造４０が設けられている。【選択図】図３
2020133728.tif 000002
【特許請求の範囲】
【請求項１】
金属製で中空の外側部材と、前記外側部材の内部に保持されている内側部材とによって、前記外側部材に入力された荷重を吸収可能な衝撃吸収部材において、
前記内側部材は、木材と、ソリッドな樹脂又は金属製のブラケットとを一体化することで構成されており、
前記外側部材に対して前記ブラケットを位置決めして保持している保持構造が設けられている衝撃吸収部材。
【請求項２】
中空柱状又は中空筒状の前記外側部材は、前記木材が配置された状態で所定方向に延びる一般部と、前記一般部に対して適宜の向きに曲げ変形されている曲げ変形部とを有し、
前記保持構造は、前記曲げ変形部に対して密着するように曲げ変形しているブラケット部分を位置決めして保持している請求項１に記載の衝撃吸収部材。
【請求項３】
前記木材は、長尺な柱状又は板状に形成されて、前記木材の長尺方向に延びる外面部を有し、前記外面部に一体化されたブラケット部分は、外面部以上の長さ寸法を有して、前記保持構造を介して前記外側部材に位置決めして保持されている請求項１又は２に記載の衝撃吸収部材。
【請求項４】
前記ブラケットは、前記木材を包み込むように設けられている請求項１〜３のいずれか一項に記載の衝撃吸収部材。
【請求項５】
前記ブラケットは、可撓性を備えたソリッドな樹脂で構成されている請求項１〜４のいずれか一項に記載の衝撃吸収部材。
【請求項６】
金属製で中空の外側部材と、前記外側部材の内部に保持されている内側部材とによって、前記外側部材に入力された荷重を吸収可能な衝撃吸収部材の製造方法において、
前記内側部材は、木材と、ソリッドな樹脂又は金属製のブラケットとを一体化することで構成されており、
前記外側部材となる基材の内部に前記内側部材を配置したのち、前記基材の少なくとも一部を前記ブラケットとともに曲げ変形させて曲げ変形部を形成する曲げ工程を経て、前記外側部材を形成しつつ、前記外側部材に対して前記ブラケットを位置決めして保持する衝撃吸収部材の製造方法。
【請求項７】
前記曲げ変形部とともに曲げ変形しているブラケット部分を、曲げ工程ののちに設けられる保持構造によって前記曲げ変形部に位置決めして保持する請求項６に記載の衝撃吸収部材の製造方法。
【請求項８】
前記曲げ変形部とともに曲げ変形しているブラケット部分は、前記木材から突出して配置されている請求項６又は７に記載の衝撃吸収部材の製造方法。
【請求項９】
中空柱状又は中空筒状の前記基材に、曲げ工程を経て、前記木材が配置された状態で所定方向に延びる一般部と、前記一般部に対して適宜の向きに曲げ変形する曲げ変形部とを形成し、
前記曲げ変形部は、前記曲げ変形部とともに曲げ変形しているブラケット部分とともに、前記一般部の延長方向の両端側にそれぞれ形成される請求項６〜８のいずれか一項に記載の衝撃吸収部材の製造方法。
【発明の詳細な説明】
【技術分野】
【０００１】
本発明は、金属製で中空の外側部材と、外側部材の内部に保持されている内側部材とを備えた衝撃吸収部材及びその製造方法に関する。
【背景技術】
【０００２】
この種の車両には、車両外装品や車両内装品として、本発明の外側部材に相当する金属製の中空部材が用いられることが多く、例えば車両前部のバンパリインフォースを一例に挙げることができる。そして金属製の中空部材には、外部からの荷重入力が想定されるのであるが、この荷重入力によって金属製の中空部材が局所的に大きく折れ曲がるといった事態（局所折れの発生）は極力回避すべきである。このため良好な衝撃吸収性能を有する木材を用いるなどして、金属製の中空部材に入力された荷重を吸収することにより、意図しない局所折れの発生を極力阻止することが考えられる。
【０００３】
ここで特許文献１に開示の衝撃吸収用部材は、金属強度部材と、芯材と、支え部材を有している。金属強度部材は、金属製で中空柱状の部材であり、本発明の外側部材に相当する。また芯材は、繊維強化プラスチック（ＦＲＰ）製の部材であり、本発明の内側部材に相当する。この芯材は、金属強度部材よりも小さな外形寸法を有しており、金属強度部材の内壁との間に適度な隙を設けて配置することができる。公知技術では、金属強度部材と芯材の間の隙に、発泡ウレタン樹脂製の支え部材を充填することにより、この支え部材を介して、金属強度部材内に短寸な芯材を保持している。そして金属強度部材に荷重が入力された際に、金属強度部材がまず変形し、つづいて芯材が変形することにより、入力された荷重を吸収することができる。そこで公知技術の構成を適用して、金属製の中空部材（外側部材）の内部に木材（内側部材）を位置決めして保持しておくことが考えられる。
【先行技術文献】
【特許文献】
【０００４】
【特許文献１】特開２００１‐１５３１６９号公報
【発明の概要】
【発明が解決しようとする課題】
【０００５】
ところで公知技術の構成を適用した場合、木材（内側部材）が、発泡ウレタン樹脂製の支え部材を介して金属製の中空部材（外側部材）の内部に保持される。しかし発泡ウレタン樹脂製の支え部材は、木材に比して柔軟で且つ経年劣化しやすい部材であるため、金属製の中空部材に対して木材を性能良く保持するには不向きの部材であった。すなわち柔軟な支え部材を用いる構成では木材の位置決め精度が出しづらく、また経年劣化しやすい支え部材は、耐久性等を考慮するとすんなり採用できる構成ではない。本発明は上述の点に鑑みて創案されたものであり、本発明が解決しようとする課題は、外側部材に対して内側部材を性能良く保持することにある。
【課題を解決するための手段】
【０００６】
上記課題を解決するための手段として、第１発明の衝撃吸収部材は、金属製で中空の外側部材と、外側部材の内部に保持されている内側部材とによって、外側部材に入力された荷重を吸収可能な衝撃吸収部材である。この種の衝撃吸収部材では、外側部材に対して内側部材を性能良く（例えば優れた位置決め性を維持しつつ）保持できることが望ましい。そこで本発明の内側部材は、木材と、ソリッドな樹脂又は金属製のブラケットとを一体化することで構成されている。そして衝撃吸収部材には、外側部材に対してブラケットを位置決めして保持している保持構造が設けられている。本発明の内側部材では、発泡樹脂よりも硬く且つ耐久性に優れるブラケットを木材に一体化している。そして保持構造によって、ブラケットを外側部材に対して位置決めして保持したことにより、外側部材に対して内側部材を優れた位置決め性を維持しつつ保持しておくことが可能となる。
【０００７】
第２発明の衝撃吸収部材は、第１発明の衝撃吸収部材において、中空柱状又は中空筒状の外側部材は、木材が配置された状態で所定方向に延びる一般部と、一般部に対して適宜の向きに曲げ変形されている曲げ変形部とを有している。そして保持構造は、曲げ変形部に対して密着するように曲げ変形しているブラケット部分を位置決めして保持している。本発明では、外側部材に曲げ変形部を設けたことにより、一般部に対する内側部材の相対移動を極力阻止することが可能となる。さらにブラケットを、保持構造にて曲げ変形部に密着させた状態で位置決めして保持しておくことにより、内側部材の優れた位置決め性の確保に資する構成となっている。
【０００８】
第３発明の衝撃吸収部材は、第１発明又は第２発明の衝撃吸収部材において、木材は、長尺な柱状又は板状に形成されて、木材の長尺方向に延びる外面部を有している。そして外面部に一体化されたブラケット部分は、外面部以上の長さ寸法を有して、保持構造を介して外側部材に位置決めして保持されている。本発明では、保持構造を設けるべきブラケット部分の寸法を確保したことで、内側部材の優れた位置決め性の確保に更に資する構成となっている。
【０００９】
第４発明の衝撃吸収部材は、第１発明〜第３発明のいずれかの衝撃吸収部材において、ブラケットは、木材を包み込むように設けられている。本発明では、木材の周囲に配置されたブラケットによって、木材の外部刺激による劣化を極力阻止することができる。
【００１０】
第５発明の衝撃吸収部材は、第１発明〜第４発明のいずれかの衝撃吸収部材において、ブラケットは、可撓性を備えたソリッドな樹脂で構成されている。本発明では、ブラケットを、金属に比して軽量であるソリッドな樹脂で構成することで、衝撃吸収部材の軽量化に資する構成となっている。
【００１１】
第６発明の衝撃吸収部材の製造方法は、金属製で中空の外側部材と、外側部材の内部に保持されている内側部材とによって、外側部材に入力された荷重を吸収可能な衝撃吸収部材の製造方法である。本発明の内側部材は、木材と、ソリッドな樹脂又は金属製のブラケットとを一体化することで構成されている。そして外側部材となる基材の内部に内側部材を配置したのち、基材の少なくとも一部をブラケットとともに曲げ変形させて曲げ変形部を形成する曲げ工程を経て、外側部材を形成しつつ、外側部材に対してブラケットを位置決めして保持することとした。本発明では、曲げ工程を経て外側部材に曲げ変形部を設けたことにより、外側部材に対する内側部材の相対移動を極力阻止することができる。そしてブラケットを、曲げ変形部とともに曲げ変形して密着させることにより、外側部材に対して内側部材を優れた位置決め性を維持しつつ保持することが可能となる。
【００１２】
第７発明の衝撃吸収部材の製造方法は、第６発明の衝撃吸収部材の製造方法において、曲げ変形部とともに曲げ変形しているブラケット部分を、曲げ工程ののちに設けられる保持構造によって曲げ変形部に位置決めして保持する。本発明では、所定のブラケット部分を、曲げ変形部とともに曲げ変形して密着させ、さらに曲げ工程後に設けられる保持構造にてより確実に位置決めして保持することができる。
【００１３】
第８発明の衝撃吸収部材の製造方法は、第６発明又は第７発明の衝撃吸収部材の製造方法において、曲げ変形部とともに曲げ変形しているブラケット部分は、木材から突出して配置されている。本発明では、突出状態の所定のブラケット部分を、木材からの影響を極力受けることなくスムーズに曲げ変形させることができ、外側部材に対してより適切に位置決めして保持させることが可能となっている。
【００１４】
第９発明の衝撃吸収部材の製造方法は、第６発明〜第８発明のいずれかの衝撃吸収部材の製造方法において、中空柱状又は中空筒状の基材に、曲げ工程を経て、木材が配置された状態で所定方向に延びる一般部と、一般部に対して適宜の向きに曲げ変形する曲げ変形部とを形成する。そして曲げ変形部は、曲げ変形部とともに曲げ変形しているブラケット部分とともに、一般部の延長方向の両端側にそれぞれ形成される。本発明では、一般部の両端にそれぞれ設けられた曲げ変形部によって、一般部に対する内側部材の相対移動をより確実に阻止することが可能となる。
【発明の効果】
【００１５】
本発明に係る第１発明によれば、外側部材に対して内側部材を性能良く保持することができる。また第２発明によれば、内側部材の優れた位置決め性の確保に資する構成とすることができる。また第３発明によれば、内側部材の優れた位置決め性の確保に更に資する構成とすることができる。また第４発明によれば、外側部材に対して内側部材をより性能良く保持することができる。また第５発明によれば、外側部材に対して内側部材を更に性能良く保持することができる。また第６発明によれば、外側部材に対して内側部材を性能良く保持することができる。また第７発明によれば、内側部材の優れた位置決め性の確保に資する構成とすることができる。また第８発明によれば、内側部材の優れた位置決め性の確保に更に資する構成とすることができる。そして第９発明によれば、内側部材の優れた位置決め性の確保に一層資する構成とすることができる。
【図面の簡単な説明】
【００１６】
【図１】衝撃吸収部材を示す車両前部の概略透視斜視図である。
【図２】ブラケットを部分的に破断して示す衝撃吸収部材の斜視図である。
【図３】図１のＩＩＩ−ＩＩＩ線断面に相当する衝撃吸収部材の概略断面図である。
【図４】図１のＩＶ−ＩＶ線断面に相当する衝撃吸収部材の概略断面図である。
【図５】基材と内側部材の概略断面図である。
【図６】曲げ工程後の外側部材と内側部材の概略断面図である。
【図７】別例の衝撃吸収部材の断面図である。
【図８】変形例１の衝撃吸収部材の概略断面図である。
【図９】変形例２の衝撃吸収部材の概略断面図である。
【発明を実施するための形態】
【００１７】
以下、本発明を実施するための形態を、図１〜図９を参照して説明する。図１には、便宜上、車両の前後方向と左右方向と上下方向を示す矢線を適宜図示する。また図２〜図９では、便宜上、衝撃吸収部材及びその構成が車両に取付けられている状態を基準として、これらの前後方向と左右方向と上下方向を示す矢線を適宜図示する。
【００１８】
図１に示す車両２は、外形をなす車両ボディ４と、車両ボディ４の下部で前後に延びる左右一対のサイドメンバ６，８と、衝撃吸収部材１０とを有している。この衝撃吸収部材１０は、バンパリインフォースとして機能する部材であり、左右一対のサイドメンバ６，８に支持されて車両ボディ４の前部側に配設されている。そして衝撃吸収部材１０によって、車両衝突時等に前方から入力される衝撃荷重Ｆを吸収するのであるが、このとき衝撃吸収部材１０に局所折れが発生し、意図しない箇所で大きく折れ曲がることは極力回避すべきである。このため本実施例の衝撃吸収部材１０では、外形をなしている外側部材２０の内部に内側部材３０を保持させ、外側部材２０と内側部材３０とで入力された衝撃荷重Ｆを吸収する構成となっている。そしてこの種の衝撃吸収部材１０では、外側部材２０に対して内側部材３０を性能良く保持しておくことが望ましく、とりわけ内側部材３０の優れた位置決め性を維持できることが望まれる。そこで本実施例では、後述する構成（保持構造４０等）によって、外側部材２０に対して内側部材３０を性能良く保持することとした。以下、各構成について詳述する。
【００１９】
［衝撃吸収部材（外側部材）］
図１に示す衝撃吸収部材１０は、左右方向（車幅方向）に長尺な中空部材であり、外側部材２０と、内側部材３０と、保持構造４０を有している。ここで衝撃吸収部材１０の外形をなす外側部材２０は、図１〜図３に示すように左右方向に長尺とされた金属製で中空柱状の部材であり、バンパリインフォースとして使用可能な外形を有している。なお外側部材２０の素材として、塑性変形可能な各種の金属や合金を用いることができ、車両ボディ４と同種の金属（鋼鉄等）でもよく異種の金属でもよい。
【００２０】
そして図１〜図３に示す外側部材２０は、上方視において概ね弓なりに湾曲しており、一般部２１と、右側曲げ変形部２２と、左側曲げ変形部２３とを有している。一般部２１は、左右方向に（所定方向に）概ね直線的に延びている四角柱状の部位であり、後述する内側部材３０の木材３１を配置しておくことができる。この一般部２１は、外側部材２０の左右方向中央に適宜の長さ寸法を有して設けられており、衝撃荷重Ｆの入力が想定されている箇所である。また右側曲げ変形部２２は、一般部２１の右端側から後方に曲げ変形している箇所であり、右側に向かうにつれて次第に後方に湾曲している。また左側曲げ変形部２３は、一般部２１の左端側から後方に曲げ変形している箇所であり、左側に向かうにつれて次第に後方に湾曲している。そして本実施例では、後述する曲げ工程を経て、右側曲げ変形部２２と左側曲げ変形部２３とが概ね左右対称に設けられている。これら各曲げ変形部２２，２３は、後述する保持構造４０の一部（曲げ構造）をなしており、内側部材３０のブラケット３４の一部が位置決めされて保持されている。
【００２１】
［内側部材（木材）］
また外側部材２０の内部に配置されている内側部材３０は、図２〜図４に示すように左右方向に長尺に形成されており、木材３１と、ブラケット３４（詳細後述）とを一体化することで構成されている。木材３１は、内側部材３０の芯部となる部材であり、車両衝突時にかかる衝撃荷重Ｆを圧縮しつつ潰れる（圧壊する）ことで吸収することができる。そして木材３１は、外側部材２０の一般部２１の内部に収容可能な四角柱形状に形成されており、右端部３１ａと、左端部３１ｂと、四つの側面部（前側面部３１ｃ，後側面部３１ｄ，上側面部３１ｅ，下側面部３１ｆ）とを有している。右端部３１ａは、外側部材２０内に配置された状態を基準として右側曲げ変形部２２を臨む位置に配置されており、木材３１の左端部３１ｂは、左側曲げ変形部２３を臨む位置に配置されている。また各側面部３１ｃ〜３１ｆは、右端部３１ａと左端部３１ｂの間で左右方向に延びている長尺な外面部分であり、上側面部３１ｅと下側面部３１ｆとが上下に対向配置され、前側面部３１ｃと後側面部３１ｄとが前後に対向配置されている。そして木材３１の前外面をなす前側面部３１ｃは、本発明の木材の長尺方向に延びる外面部に相当する箇所であり、外側部材２０に入力された衝撃荷重Ｆを受止めることができる。
【００２２】
ここで図２〜図４に示す木材３１は、スギやヒノキやマツなどの針葉樹、ケヤキやブナなどの広葉樹から採取することが可能であり、なかでも相対的に年輪３２がはっきりしている針葉樹から採取することが望ましい（図３では、便宜上、一部の年輪にのみ符号３２を付す）。そして木材３１は、図３に示す年輪３２の軸心方向を、一般部２１の延長方向に沿って配置させてもよく、一般部２１の延長方向に直交するように配置させてもよい。例えば本実施例の木材３１は、その年輪３２の軸心方向が一般部２１の延長方向（左右方向）に沿って配置されており、比較的加工が容易な構成となっている。なお衝撃吸収性を優先して、木材３１の年輪３２の軸心方向を、一般部２１の延長方向に直交する方向（前後方向）に向けて、衝撃荷重Ｆの入力方向に一致させることもできる。
【００２３】
また木材３１の密度は、衝撃吸収性や軽量性などを考慮して設定でき、典型的には密度０．２ｇ／ｃｍ3〜１．０ｇ／ｃｍ3の範囲で設定できる。そして木材３１の含水率は、所望の衝撃吸収性を備える限り特に限定しないが、典型的に含水率を５〜１６％の範囲に調整することができ、概ね１０％を目安とすることが望ましく、概ね８％に設定することがより好ましい。なお木材３１の含水率を概ね８％〜１０％とする方法として、室温約３０度且つ湿度約９０％の室内に木材３１を予め決められた時間だけ載置する方法を例示できる。また木材３１の含水率を測定する方法として、上記の手法で乾燥させた木材３１の重量と、乾燥前の木材３１の重量との差から含水率を測定する方法を例示できる。
【００２４】
［ブラケット］
図２〜図４に示すブラケット３４は、内側部材３０の外形をなすソリッドな樹脂製の部材であり、備え付け部３５（左右一対の突出部３６，３７）を有している（図３及び図４では、便宜上、備え付け部に相当するブラケットのハッチをその他の部分と異ならせている）。このブラケット３４は、インサート成形や接着や融着などの手法で木材３１の外側に一体化されており、本実施例では、概ね四角柱状に形成されて木材３１を包み込むように一体化されている。すなわちブラケット３４は、木材３１の各端部３１ａ，３１ｂと各側面部３１ｃ〜３１ｆとを覆うように設けられ、さらにブラケット３４の前側をなす備え付け部３５（詳細後述）が、木材３１の前側面部３１ｃを被覆するように設けられている。このようにブラケット３４にて木材３１の周囲を被覆することで、木材３１の光や水等（外部刺激）による劣化を極力回避することができ、耐久性向上に資する構成となる。
【００２５】
またブラケット３４の前側をなす備え付け部３５は、図２〜図４に示すように前側面部３１ｃに沿うように左右に長尺となっている。この備え付け部３５は、本発明の外面部に一体化されたブラケット部分に相当するとともに、外側部材２０に保持される（備え付けられる）部分である。そして備え付け部３５は、前側面部３１ｃを超える左右の長さ寸法を有し、右側突出部３６と左側突出部３７とが設けられている。右側突出部３６は、図３に示すように木材３１の右端部３１ａから右方に突出している備え付け部３５の部位であり、外側部材２０の右側曲げ変形部２２に対して密着するように同じ方向に曲げ変形している。また左側突出部３７は、木材３１の左端部３１ｂから左方に突出している備え付け部３５の部位であり、外側部材２０の左側曲げ変形部２３に対して密着するように同じ方向に曲げ変形している。これら右側突出部３６と左側突出部３７とは概ね左右対称となるように設けられて、後述する保持構造４０の一部（曲げ構造）をなし、さらに後述する保持構造４０の締結構造が設けられる箇所である。そして本実施例では、保持構造４０を設けるべき備え付け部３５の長さ寸法を確保したことで、内側部材３０の優れた位置決め性の確保に資する構成となっている。
【００２６】
そして図３及び図４に示すブラケット３４の外形寸法によって、内側部材３０の長さ寸法Ｌと高さ寸法Ｈと幅寸法Ｗとを規定することができる。例えば図３に示す木材３１が配置する内側部材３０部分の左右の寸法（長さ寸法Ｌ）は、ブラケット３４の備え付け部３５を除く左右の寸法で規定されている。この内側部材３０部分の長さ寸法Ｌは、外側部材２０の一般部２１に収まる寸法に設定されており、本実施例では一般部２１と概ね同一に設定されている。
【００２７】
また図４に示す内側部材３０の上下の寸法（高さ寸法Ｈ）は、ブラケット３４の上下の寸法で規定されており、内側部材３０の前後の寸法（幅寸法Ｗ）は、ブラケット３４の前後の寸法で規定されている。この内側部材３０の高さ寸法Ｈと幅寸法Ｗとは、外側部材２０の内部スペースＩＳに応じて適宜設定することが可能である。例えば本実施例では、内側部材３０の高さ寸法Ｈと幅寸法Ｗとを調節して、外側部材２０の内部に内側部材３０が実質的に隙の無い状態で収容されている。このように外側部材２０の内部に内側部材３０を配置することで、衝撃吸収部材１０が概ね中実な状態となり、優れた衝撃吸収性を維持することが可能となる。なお実質的に隙の無い状態とは、外側部材２０に対する内側部材３０の挿入（押し込み）が可能なように、内側部材３０の外面と外側部材２０の内面の間に若干の隙（上下又は前後の隙）があることを許容する趣旨である。すなわち内側部材３０の外形形状は、外側部材２０への挿入を許容できる範囲でその内部スペースＩＳに倣って形成されるが、完全に隙の無い状態とすることは困難な場合があり、また設計誤差にて若干の隙ができることも避けられない。そして挿入作業の関係や設計誤差によって外側部材２０と内側部材３０の間に若干の隙が生じたとしても、その隙は意図的なものではないため実質的に隙の無い状態とみなすことができる。
【００２８】
ここでブラケット３４を構成するソリッドな樹脂として、各種の熱可塑性樹脂や熱硬化性樹脂を用いることができ、適度な可撓性を備えた樹脂を用いることが望ましい。この種の熱可塑性樹脂として、ポリプロピレンやポリエチレン等のポリオレフィン樹脂、ポリカーボネート樹脂、ポリエチレンテレフタレート、ポリブチレンテレフタレート、ポリ（エチレン−２，６−ナフタレート）、ナイロン（ポリアミド）等のポリエステル樹脂、プロピレン−エチレン共重合体、ポリスチレン樹脂、芳香族ビニル系単量体と低級アルキル基を有する（メタ）アクリル酸アルキルエステルとの共重合体、テレフタル酸−エチレングリコール−シクロヘキサンジメタノール共重合体、ポリメチルメタクリレート等の（メタ）アクリル樹脂を例示することができる。また熱硬化性樹脂として、フェノール樹脂、エポキシ樹脂、メラミン樹脂、尿素樹脂を例示できる。そして熱可塑性樹脂又は熱硬化性樹脂は単独で使用することができ、また二種以上を混合して使用することもできる。
【００２９】
［外側部材に対する内側部材の保持］
図１〜図３に示す衝撃吸収部材１０は、外側部材２０の内部に内側部材３０を保持した状態とされて車両ボディ４の前部側に設置される。そして車両衝突時に外側部材２０に入力される衝撃荷重Ｆを、外側部材２０と内側部材３０の双方で吸収可能な状態としておく。この種の衝撃吸収部材１０では、外側部材２０に対して内側部材３０を性能良く保持できることが望ましく、とりわけ優れた位置決め性を維持しつつ保持できることが望ましい。そこで本実施例の内側部材３０は、木材３１と、ソリッドな樹脂製のブラケット３４とを一体化することで構成されている。そして衝撃吸収部材１０には、外側部材２０に対してブラケット３４を位置決めして保持している後述の保持構造４０が設けられている。
【００３０】
［保持構造］
図３に示す保持構造４０は、外側部材２０に対してブラケット３４を位置決めして保持している構造である。この保持構造４０として、外側部材２０と内側部材３０の曲げ構造や、樹脂と金属とを固定する固定構造を採用でき、この種の固定構造として、締結構造、カシメ付け構造、接着や融着等の接着構造などの各種の構造を採用できる。そして本実施例の保持構造４０では、後述するように、外側部材２０と内側部材３０の曲げ構造と、ボルト状の締結具４１とナット４２を用いた締結構造とを併用している。
【００３１】
そして図３に示す保持構造４０としての曲げ構造（２２と３６，２３と３７）は、衝撃吸収部材１０の一般部２１の右側と左側とにそれぞれ設けられている。すなわち本実施例では、外側部材２０の内部に内側部材３０が配置された状態において、一般部２１には、木材３１とそれを包み込むブラケット３４部分が配置されている。そして右側の曲げ構造は、右側曲げ変形部２２と、木材３１から右方に突出する右側突出部３６とで構成され、これら両部２２，３６は互いに密着しつつ同じ向きに曲げ変形している。また左側の曲げ構造は、左側曲げ変形部２３と、木材３１から左方に突出する左側突出部３７とで構成され、これら両部２３，３７は互いに密着しつつ同じ向きに曲げ変形している。このように本実施例では、一般部２１が、その右側と左側とに設けられた保持構造４０としての曲げ構造によって挟み付けられた状態となっている。そして保持構造４０としての曲げ構造では、各曲げ変形部２２（２３）に対して各突出部３６（３７）が密着して適度に位置決めされて保持された状態となっている。このため一般部２１に対して木材３１とそれを包み込むブラケット３４部分が左右方向に相対移動しようとしても、その左右方向移動が、左右の各曲げ構造（３６等，３７等）にてより確実に阻止されることとなる。
【００３２】
さらに本実施例では、図３に示す保持構造４０としての締結構造によって、各曲げ変形部２２（２３）に対して各突出部３６（３７）が位置決めされて保持されている。すなわち衝撃吸収部材１０では、右側曲げ変形部２２に設けられた締結孔Ｈ１と、右側突出部３６に設けられた締結孔Ｈ２とが同軸上に形成されている。これら両締結孔Ｈ１，Ｈ２に、締結構造をなす締結具４１が挿通されてナット４２で留められている。そして保持構造４０としての締結構造（締結具４１）は、図１に示すように右側曲げ変形部２２と右側突出部３６の上下に設けられており、右側曲げ変形部２２に対して右側突出部３６を上下にバランスよく保持することができる。また図１及び図３を参照して、左側曲げ変形部２３と左側突出部３７にもそれぞれ締結孔Ｈ１，Ｈ２が同軸上に形成されており、これら各締結孔Ｈ１，Ｈ２に、締結構造をなす締結具４１が挿通されてナット４２で留められている。このように本実施例の保持構造４０では、上述の曲げ構造と締結構造とで、ブラケット３４の各突出部３６（３７）を、対応する曲げ変形部２２（２３）に位置決めして保持しておくことで、内側部材３０の優れた位置決め性の確保に資する構成となっている。
【００３３】
［衝撃吸収部材の製造方法］
ここで図１〜図３に示す衝撃吸収部材１０は、後述の製造方法（曲げ工程）を経て製造することができる。この衝撃吸収部材１０の製造方法では、図５に示すように、木材３１とブラケット３４とを一体化することで構成されている内側部材３０を用意する。この内側部材３０の各突出部３６，３７にはそれぞれ締結孔Ｈ２が適所に設けられている。また概ね直線的に形成されている基材２０Ｘを用意し、この基材２０Ｘにも締結孔Ｈ１が適所に設けられている。なお基材２０Ｘの形成手法は特に限定しないが、典型的には単数又は複数の金属板を用いて形成しておくことができる。例えば基材２０Ｘは、概ねコ字をなすように曲げ変形させた二枚の金属板を溶接や締結などで中空柱状となるように接合等することで形成でき、一枚の金属板を中空柱状に曲げ変形させて溶接等で固定することでも形成できる。
【００３４】
そして内側部材３０を、図５に示すように基材２０Ｘの内部に挿入しつつ（押し込みつつ）、基材２０Ｘの適所に配置しておく。すなわち木材３１とそれを包み込むブラケット３４部分を、基材２０Ｘの一般部となるべき箇所（２１）に配置し、ブラケット３４の各突出部３６，３７を、基材２０Ｘの曲げ変形部となるべき箇所（２２），（２３）に配置しておく。つぎに図６を参照して、基材２０Ｘの少なくとも一部をブラケット３４とともに曲げ変形させて曲げ変形部を形成する曲げ工程を経て外側部材２０を形成する。このとき本実施例では、基材２０Ｘの右側と左側を曲げ変形させることで、外側部材２０に、一般部２１と、右側曲げ変形部２２と、左側曲げ変形部２３とを形成する。この曲げ工程では、ブラケット３４の右側突出部３６が、右側曲げ変形部２２と同方向に曲げ変形し、ブラケット３４の左側突出部３７が、左側曲げ変形部２３とともに同方向に曲げ変形する。これら右側突出部３６と左側突出部３７は、本発明の曲げ変形部とともに曲げ変形しているブラケット部分に相当する。そして本実施例では、各突出部３６，３７を木材３１から適宜の向きに突出させたため、曲げ工程の際に、各突出部３６，３７を、木材３１からの影響を極力受けることなくスムーズに曲げ変形させることができる。さらに各突出部３６，３７だけを曲げ変形させて、木材３１に意図しない応力が生じることを極力回避することで、木材３１の優れた衝撃吸収性の維持に資する構成となっている。
【００３５】
こうして本実施例では、保持構造４０としての曲げ構造を設けたことで、各曲げ変形部２２（２３）に対して各突出部３６（３７）が密着して適度に位置決めされて保持された状態となる。また一般部２１の左右方向（長尺方向）の両端側にそれぞれ曲げ構造（３６等，３７等）を設けることにより、外側部材２０に対する内側部材３０の移動をより確実に阻止することが可能となり、位置決め性の向上等に資する構成となる。そして図６に示す外側部材２０の各曲げ変形部２２（２３）に対して、これらに密着して配置された各突出部３６（３７）を、曲げ工程ののちに、保持構造４０としての締結構造を介して位置決めして保持させる。すなわち右側曲げ変形部２２の締結孔Ｈ１と、右側突出部３６の締結孔Ｈ２とに、保持構造４０（締結構造）をなす締結具４１を挿通してナット４２で留める。また同様に左側曲げ変形部２３の締結孔Ｈ１と、左側突出部３７の締結孔Ｈ２とに、保持構造４０（締結構造）をなす締結具４１を挿通してナット４２で留める。こうして衝撃吸収部材１０に、曲げ工程ののちに締結構造を更に設けることで、各曲げ変形部２２（２３）に対して各突出部３６（３７）をより確実に位置決めして保持することができる。
【００３６】
［衝撃吸収部材の使用例］
図１〜図３を参照して、衝撃吸収部材１０を、車両ボディ４の前部側にバンパリインフォースとして設置しておく。この状態の衝撃吸収部材１０は、光や水などの外部刺激に晒されることがあり、この外部刺激によって木材３１が過度に劣化するおそれがある。そこで本実施例では、ブラケット３４で木材３１を包み込んでおくことにより、外部刺激による木材３１の劣化を極力回避でき、優れた耐久性の維持に資する構成となっている。さらに本実施例では、ブラケット３４を、比較的軽量な樹脂で構成したことにより、車両２の軽量化に資する構成となっている。
【００３７】
そして車両衝突時には、バンパリインフォースとしての衝撃吸収部材１０によって、車両２に入力された衝撃荷重Ｆを吸収する。例えば本実施例では、地上から起立している柱状部材（図示省略）に車両２が衝突した場合を想定する。なお柱状部材の直径は、一般的に一般部２１の左右の寸法よりも小さくなっている。そして衝撃吸収部材１０には、柱状部材からの衝撃荷重Ｆが外側部材２０の一般部２１に入力され、この衝撃荷重Ｆを、一般部２１の適度な圧縮変形と、内側部材３０内の木材３１の圧壊によって吸収することができる。このとき一般部２１には局所的に大きな衝撃荷重Ｆが入力されるが、この入力された衝撃荷重Ｆは、一般部２１の内部の木材３１によって左右に分散されながら吸収されていく。こうして本実施例では、外側部材２０と内側部材３０とで衝撃荷重Ｆを分散させながら吸収して、一般部２１の局所折れを極力回避することにより、衝撃吸収部材１０が、意図しない箇所で大きく折れ曲がるといった事態を極力回避することが可能となる。
【００３８】
以上説明したとおり、本実施例の衝撃吸収部材１０の内側部材３０では、発泡樹脂よりも硬く且つ耐久性に優れるブラケット３４を木材３１に一体化している。そして保持構造４０によって、ブラケット３４を外側部材２０に対して位置決めして保持したことにより、外側部材２０に対して内側部材３０を優れた位置決め性を維持しつつ保持しておくことが可能となる。また本実施例では、外側部材２０に各曲げ変形部２２，２３を設けたことにより、一般部２１に対する内側部材３０の相対移動を極力阻止することが可能となる。さらにブラケット３４を、保持構造４０にて各曲げ変形部２２，２３に密着させた状態で位置決めして保持しておくことにより、内側部材３０の優れた位置決め性の確保に資する構成となっている。また本実施例では、保持構造４０を設けるべきブラケット３４（備え付け部３５）の寸法を確保したことで、内側部材３０の優れた位置決め性の確保に更に資する構成となっている。また本実施例では、木材３１の周囲に配置されたブラケット３４によって、木材３１の外部刺激による劣化を極力阻止することができる。そして本実施例では、ブラケット３４を、金属に比して軽量であるソリッドな樹脂で構成することで、衝撃吸収部材１０の軽量化に資する構成となっている。このため本実施例によれば、外側部材２０に対して内側部材３０を性能良く保持することができる。
【００３９】
また本実施例の衝撃吸収部材１０の製造方法では、曲げ工程を経て外側部材２０に各曲げ変形部２２，２３を設けたことにより、外側部材２０に対する内側部材３０の相対移動を極力阻止することができる。そしてブラケット３４を、各曲げ変形部２２，２３とともに曲げ変形して密着させることにより、外側部材２０に対して内側部材３０を優れた位置決め性を維持しつつ保持することが可能となる。また本実施例では、所定のブラケット部分（各突出部３６，３７）を、各曲げ変形部２２，２３とともに曲げ変形して密着させ、さらに曲げ工程後に設けられる保持構造４０（締結構造）にてより確実に位置決めして保持することができる。また本実施例では、突出状態の所定のブラケット部分（各突出部３６，３７）を、木材３１からの影響を極力受けることなくスムーズに曲げ変形させることができ、外側部材２０に対してより適切に位置決めして保持させることが可能となっている。そして本実施例では、一般部２１の両端にそれぞれ設けられた各曲げ変形部２２，２３によって、一般部２１に対する内側部材３０の相対移動をより確実に阻止することが可能となる。
【００４０】
［内側部材の別例］
ここで内側部材の構成は、上述の構成のほか、各種の構成を取り得る。例えば図７に示す別例の衝撃吸収部材１０Ａでは、内側部材３０Ａが、木材３１Ａとブラケット３４Ａとを一体化することで構成されている。そして本別例では、実施例と同一の木材３１Ａを用いるのであるが、ブラケット３４Ａが、発泡樹脂よりも硬く且つ耐久性に優れる金属製の部材である点が実施例と異なっている。このブラケット３４Ａは、実施例の対応する部材と概ね同一の外形を有し、備え付け部３５Ａと、左右の突出部３６Ａ，３７Ａとを有している。この種のブラケット３４Ａの素材として、外側部材２０とともに塑性変形可能な各種の金属を用いることができ、外側部材２０と同種又異種の金属を用いることが可能である。また金属として、鋼鉄などの鉄系の金属のほか、アルミニウム合金系、マグネシウム合金系、チタン合金系等の金属を例示でき、さらに金属の厚みは、木材３１Ａの圧壊を許容するように設定することができる。
【００４１】
なおブラケット３４Ａの形成手法は特に限定しないが、例えば備え付け部３５Ａをなす金属板を、その他の部分をなす断面コ字状の別の金属板ＭＰに溶接等で固定することで形成できる。またブラケット３４Ａの内面に、締結や接着や融着などの手法で木材３１Ａを一体化しておくことが可能である。例えば図示しないボルト状の締結具を、ブラケット３４Ａと木材３１Ａの双方を前後に貫通するように設けることで、これらをより強固に一体化しておくことができる。なおこの場合には、図示しないボルト状の締結具を、衝撃荷重Ｆの入力が想定される箇所の左右にそれぞれ配置しておくことが望ましい。
【００４２】
そして本別例の衝撃吸収部材１０Ａにおいても、外側部材２０に対してブラケット３４Ａの各突出部３６Ａ，３７Ａを位置決めして保持している保持構造４０が設けられている。この本別例の保持構造４０として、外側部材２０と内側部材３０Ａの曲げ構造や、金属同士を固定する固定構造を採用できる。そして本別例の保持構造４０では、実施例と同様に、曲げ構造と、固定構造としての締結構造を併用しているが、その他の固定構造として、溶接構造、半田付けなどのろう接構造、カシメ付け構造、接着構造などの各種の構造を採用できる。こうして本別例においても、保持構造４０によって各突出部３６Ａ，３７Ａを外側部材２０に対して位置決めして保持したことにより、外側部材２０に対して内側部材３０Ａを優れた位置決め性を維持しつつ保持しておくことが可能となる。
【００４３】
［変形例１］
また衝撃吸収部材の構成は、上述の構成のほか、各種の構成を取り得る。例えば図８に示す変形例１の衝撃吸収部材１０Ｂは、外側部材２０と内側部材３０Ｂとを有しているが、内側部材３０Ｂの外形が実施例と異なっている。すなわち内側部材３０Ｂの外形をなすブラケット３４Ｂは、木材を包み込むように概ね四角柱状に形成されており、突出部に相当する部分が省略されている（図８では、便宜上、木材の図示を省略する）。そしてブラケット３４Ｂの右側と左側とが、対応する曲げ変形部２２，２３とともに曲げ変形されることで、保持構造４０としての曲げ構造が形成されている。さらにブラケット３４Ｂの右側と左側とが、対応する曲げ変形部２２，２３に対して、保持構造４０としての締結構造によって位置決めして保持されている。そして保持構造４０をなす締結具４１の先端は、各曲げ変形部２２，２３の締結孔Ｈ１を通じて、ブラケット３４Ｂに設けられたネジ孔Ｈ３に螺合している。このように本変形例の内側部材３０Ｂは、ブラケット３４Ｂが、木材を包み込みつつ左右に長尺となっているため、衝撃吸収部材１０Ｂの局所折れを広範囲にわたって極力回避することが可能となっている。
【００４４】
なお変形例１では、各曲げ変形部２２，２３に、木材の右側と左側を若干圧縮変形させて配置しているが、ブラケット３４Ｂだけを配置することも可能である。また本変形例では、保持構造４０をなす締結具４１を、外側部材２０の前側に配置する構成とした。これとは異なり、締結具４１を、外側部材２０の後側に配置することもでき、外側部材２０と内側部材３０Ｂを前後に貫通させておくこともできる。すなわち本変形例のブラケット３４Ｂは、前面側と後面側の双方が外側部材２０とともに曲げ変形しているため、保持構造４０としての固定構造の配設位置を比較的自由に設定することが可能である。このため本変形例では、保持構造４０の配設位置の自由度が広がるなどして、車種に合わせた衝撃吸収部材１０Ｂの設計変更等が容易な構成となっている。
【００４５】
［変形例２］
また図９に示す変形例２の衝撃吸収部材１０Ｃは、外側部材２０と内側部材３０Ｃとを有しているが、内側部材３０Ｃの構成が実施例と異なっている。すなわち本変形例では、実施例と同一の木材３１Ｃを用いるのであるが、ブラケット３４Ｃには、前側の備え付け部３５と、後側備え付け部３５１とが設けられている。ここで前側の備え付け部３５は、実施例の備え付け部と同一構成の部位であり、右側突出部３６と左側突出部３７とが設けられている。そして前側の備え付け部３５では、実施例と同様に曲げ構造と締結構造（前側の保持構造４０）とで、各突出部３６（３７）を、対応する曲げ変形部２２（２３）の前側内面に位置決めして保持しておくことができる。
【００４６】
また後側備え付け部３５１は、ブラケット３４Ｃの後側をなす部分であり、木材３１Ｃの後側面部３１ｄを被覆している。この後側備え付け部３５１は、後側面部３１ｄを超える左右の長さ寸法を有し、前側の備え付け部３５と同様に右後側突出部３６１と左後側突出部３７１とが設けられている。そして後側備え付け部３５１では、後側の保持構造４０Ｘとしての締結構造で、各突出部３６１（３７１）を、対応する曲げ変形部２２（２３）の後側内面に位置決めして保持しておくことができる。すなわち右後側突出部３６１を、右側曲げ変形部２２の後側内面に密着させるように同じ向きに曲げ変形させる。この状態で右側曲げ変形部２２と右後側突出部３６１の各締結孔（符号省略）に、後側の保持構造４０Ｘをなす締結具４１が挿通されてナット４２で留められている。また同様に左後側突出部３７１を、左側曲げ変形部２３の後側内面に密着させるように同じ向きに曲げ変形させる。この状態で左側曲げ変形部２３と左後側突出部３７１の各締結孔（符号省略）に、後側の保持構造４０Ｘをなす締結具４１が挿通されてナット４２で留められている。こうして本変形例では、ブラケット３４Ｃの左右側を、各保持構造４０，４０Ｘを介して外側部材２０に対して前後にバランスよく位置決めして保持できるため、内側部材３０Ｃの優れた位置決め性の確保に一層資する構成となっている。
【００４７】
本実施形態の衝撃吸収部材１０等は、上述した実施形態に限定されるものではなく、その他各種の実施形態を取り得る。本実施形態では、外側部材２０の構成（形状，寸法，配置数，配置位置など）を例示したが、外側部材の構成を限定する趣旨ではない。例えば外側部材は、曲げ変形部を複数又は単数設けることが可能であり、一般部と曲げ変形部の形成位置も、衝撃吸収部材の用途等に応じて適宜設定することができる。また一般部は、衝撃吸収部材の用途に応じて左右方向や前後方向や上下方向や斜め方向などの各種の所定方向に延長させておくことが可能であり、直線的である場合のほか、内側部材の挿入後などに若干曲げておくこともできる。すなわち曲げ工程によって、木材の衝撃吸収性能が確保されるならば、基材を全体的に曲げ変形させることが可能である。また曲げ変形部は、外側部材を、前後左右上下の適宜の向きに曲げる（湾曲又は屈曲させる）ことで形成でき、例えば後方且つ上方などの二方向に曲げることもできる。なお外側部材に複数の曲げ変形部を設ける場合には曲げ変形部毎に曲げ方向を設定することが可能である。また曲げ変形部は、図１に示すように外側部材の左右側を全体的に曲げ変形させることで形成する場合のほか、外側部材の前面等の一部を凹状に変形させることでも形成できる。そして外側部材の形状も適宜変更可能であり、三角柱状や四角柱状などの中空柱状や、円筒や楕円筒などの中空筒状とすることも可能であり、その断面は、全てが閉断面であってもよく一部に開断面が設けられていてもよい。
【００４８】
また本実施形態では、内側部材３０等の構成（形状，寸法，配置数，配置位置など）を例示したが、内側部材の構成を限定する趣旨ではない。本実施形態では、単数の内側部材を外側部材の内部に配置したが、複数の内側部材を配置することもできる。また一般部の局所折れを回避すべき箇所（折れ防止部位）に内側部材を配置し、一般部の折れや曲がりが許容できる箇所（折れ許容部位）に内側部材を意図的に配置しない（又は木材に凹部などの脆弱部を設ける）構成とすることもできる。このように折れ許容部位を脆弱化して意図的に折れ又は曲がり変形させることで、折れ防止部位の意図しない折れや曲がりをより確実に回避することが可能となる。また複数の内側部材を用いる場合には、年輪の軸心方向を木材毎に設定可能であり、例えば折れ防止部位において、木材の年輪の軸心方向を荷重の入力方向に一致させることもできる。また木材は、外側部材の内部スペースを考慮して、角柱や円柱などの柱状や板状などの各種の外形形状を取ることができ、例えば柱状や板状の木材を複数枚重ねたり並列させたりして用いることも可能である。
【００４９】
またブラケットは、外側部材の構成に応じた突出部を有することができ、外側部材を直角又は鋭角的に屈曲させる場合には、突出部の折れの基点となるべき箇所にヒンジ構造（例えばインテグラルヒンジ等）を設けておくことができる。またブラケットとして、金属製の部材と、ソリッドな樹脂製の部材を組み合わせて用いることも可能である。またブラケットは、外側部材に保持可能な状態で、木材の少なくとも一部を覆うように配置されておればよい。すなわちブラケットは、木材を包み込むように設けられる場合のほか、木材の一部（各端部と各側面部の少なくとも一つ）に一体的に設けることができる。例えばブラケットを、木材の前側面部と後側面部（又は上側面部と下側面部）にのみ設けることもできる。このような場合には前側面部と後側面部に跨って配置するボルト状の締結具や板状の拘束具によって、ブラケットと木材を一体化しておくことができる。またブラケットの備え付け部は、対応する木材の外面部以上の長さ寸法を有していればよいが、一対又は単数の突出部を有していることが望ましい。そして実施例と別例と各変形例の内側部材の構成は適宜組み合わせて用いることができる。
【００５０】
また本実施形態では、保持構造４０の構成（形状，寸法，配置数，配置位置など）を例示したが、保持構造の構成を限定する趣旨ではない。例えば保持構造は、外側部材と内側部材の曲げ構造のみで形成することができ、金属と樹脂又は金属同士を固定する固定構造のみで形成することも可能である。そして保持構造として、接着構造を用いる場合には、外側部材とブラケットの一方に凸部位を設け、他方に凹部位を設けておくことが望ましい。例えばブラケットの外面の凸部位を、外側部材の内面の凹部位に挿入した状態で接着又は融着することで、これらの位置決め性が向上し、さらに接着構造に対してせん断方向（例えば図３の左右方向）から力がかかった際にもこの力に強く抗することが可能となる。また実施例と各変形例の保持構造の構成は適宜組み合わせて用いることができる。
【００５１】
また本実施形態では、衝撃吸収部材１０の用途として、車両の前側に設置されるバンパリインフォースを例示したが、衝撃吸収部材は、車両外装材や車両内装材として幅広く使用することが可能である。例えば衝撃吸収部材は、車両の後面や側面に設置されるバンパリインフォースや、車両ボディの一部（ピラーやサイドメンバなど）として使用することができる。また衝撃吸収部材は、ドアや天井などの車室内の構造体の一部として使用することが可能である。
【符号の説明】
【００５２】
２     車両
４     車両ボディ
６，８ サイドメンバ
１０   衝撃吸収部材
２０   外側部材
２０Ｘ 基材
２１   一般部
２２   右側曲げ変形部
２３   左側曲げ変形部
３０   内側部材
３１   木材
３１ａ 右端部
３１ｂ 左端部
３１ｃ 前側面部（本発明の外面部）
３１ｄ 後側面部
３１ｅ 上側面部
３１ｆ 下側面部
３２   年輪
３４   ブラケット
ＩＳ   ブラケットの内部スペース
３５   備え付け部（本発明の木材の外面部に一体化されたブラケット部分）
３６   右側突出部（本発明の曲げ変形部とともに曲げ変形しているブラケット部分）
３７   左側突出部（本発明の曲げ変形部とともに曲げ変形しているブラケット部分）
４０   保持構造
４１   締結具
４２   ナット
Ｈ１，Ｈ２    締結孔
Ｌ     内側部材の長さ寸法
Ｗ     内側部材の幅寸法
Ｈ     内側部材の高さ寸法
Ｆ     衝撃荷重
１０Ａ 別例の衝撃吸収部材
３０Ａ 別例の内側部材
３１Ａ 別例の木材
３４Ａ 別例のブラケット
ＭＰ   金属板
１０Ｂ 変形例１の衝撃吸収部材
３０Ｂ 変形例１の内側部材
３４Ｂ 変形例１のブラケット
Ｈ３   ネジ孔
１０Ｃ 変形例２の衝撃吸収部材
３０Ｃ 変形例２の内側部材
３１Ｃ 変形例２の木材
３４Ｃ 変形例２のブラケット
３５Ａ 前側の備え付け部
３５１ 後側備え付け部
３６１ 右後側突出部
３７１ 左後側突出部
４０Ｘ 後側の保持構造
【図１】
2020133728.tif 000003
【図２】
2020133728.tif 000004
【図３】
2020133728.tif 000005
【図４】
2020133728.tif 000006
【図５】
2020133728.tif 000007
【図６】
2020133728.tif 000008
【図７】
2020133728.tif 000009
【図８】
2020133728.tif 000010
【図９】
2020133728.tif 000011